【手続補正書】
【提出日】平成24年6月5日(2012.6.5)
【手続補正１】
【補正対象書類名】特許請求の範囲
【補正対象項目名】全文
【補正方法】変更
【補正の内容】
【特許請求の範囲】
【請求項１】
ガスタービン（１１）の制御システムであって、
燃料制御アクチュエータ（３５）と、
燃焼用空気制御アクチュエータ（４５）と、
前記燃料制御アクチュエータ（３５）及び前記燃焼用空気制御アクチュエータ（４５）の動作を制御する空気／燃料協調制御装置（１３）であって、複数のガスタービン（１１）状態入力信号を受信し、入力信号に基づいて、第１誤差信号（３１ａ）、第２誤差信号（３１ｂ）、第３誤差信号（３１ｄ）及び第４誤差信号（３１ｅ）を測定する、前記空気／燃料協調制御装置（１３）とを含んでおり、
前記空気／燃料協調制御装置（１３）は、
燃料制御出力信号（３３）を燃料制御アクチュエータ（３５）に提供して、前記燃料制御アクチュエータ（３５）の動作を制御する燃料制御装置（２３）であって、
第１ループ制御信号（３７ａ）を得るために第１伝達関数を用いて前記第１誤差信号（３１ａ）を処理し、第２ループ制御信号（３７ｂ）を得るために第２伝達関数を用いて前記第２誤差信号（３１ｂ）を処理し、
前記第１ループ制御信号（３７ａ）及び前記第２ループ制御信号（３７ｂ）の少なくとも１つに基づいて予備燃料制御信号（４１）を決定し、前記予備燃料制御信号（４１）に基づいて前記燃料制御出力信号（３３）を決定する、前記燃料制御装置（２３）と、
燃焼用空気制御出力信号（４７）を前記燃焼用空気制御アクチュエータ（４５）に提供して、前記燃焼用空気制御アクチュエータ（４５）の動作を制御する燃焼用空気制御装置（２５）と、
前記燃料制御装置（２３）と通信し、空気対燃料モデルに基づいて前記予備燃料制御信号（４１）を処理して予想定常燃焼用空気制御信号（５３）を決定するクロスチャンネル制御装置とを含んでおり、
前記燃焼用空気制御装置（２５）は、第３ループ制御信号（３７ｄ）を得るために第３伝達関数を用いて前記第３誤差信号（３１ｄ）を処理し、第４ループ制御信号（３７ｅ）を得るために第４伝達関数を用いて前記第４誤差信号（３１ｅ）を処理し、
前記燃焼用空気制御装置（２５）は、前記第３ループ制御信号（３７ｄ）及び前記第４ループ制御信号（３７ｅ）の少なくとも１つに基づいて予備燃焼用空気制御信号（５１）を決定し、前記予備燃焼用空気制御信号（５１）及び前記予想定常燃焼用空気制御信号（５３）に基づいて前記燃焼用空気制御出力信号（４７）を決定する、制御システム。
【請求項２】
前記空気・燃料協調制御装置（１３）は、前記予備燃焼用空気制御信号（５１）に適用される上下限境界を決定するための境界計算器（６７）を含んでおり、前記境界計算器（６７）は、前記予想定常燃焼用空気制御信号（５３）の変化率に基づいて前記上下限境界を決定する、請求項１に記載の制御システム。
【請求項３】
前記空気対燃料モデルは自動的に調整され、前記燃焼用空気制御出力信号と前記予想定常燃焼用空気制御信号との差を除去する、請求項１に記載の制御システム。
【請求項４】
前記ガスタービン（１１）状態入力信号の少なくとも１つは、推定された状態に基づいている、請求項１に記載の制御システム。
【請求項５】
前記ガスタービン（１１）状態入力信号の少なくとも１つは、前記ガスタービン（１１）に関するセンサ（１７）によって提供される、請求項１に記載の制御システム。
【請求項６】
前記ガスタービン（１１）に関する前記センサ（１７）は、前記ガスタービン（１１）の回転速度を検知し、速度信号（３７ｃ）を生成する速度センサ（１７）と、前記ガスタービン（１１）の排気温度を検知し、温度信号（３７ｃ）を生成する温度センサ（１７）とを含む、請求項５に記載の制御システム。
【請求項７】
前記燃料制御装置（２３）は、前記燃料制御アクチュエータ（３５）と前記燃焼用空気制御アクチュエータ（４５）との応答特性差を補償するアクチュエータダイナミクス補償器（４３）を含んでおり、前記アクチュエータダイナミクス補償器（４３）は、前記予備燃料制御信号（４１）を処理して、前記燃料制御出力信号（３３）を決定する、請求項１に記載の制御システム。
【請求項８】
前記燃料制御出力信号（３３）を決定する際、前記アクチュエータダイナミクス補償器（４３）は、遅延を前記予備燃料制御信号（４１）に追加する、請求項７に記載の制御システム。
【請求項９】
前記燃料制御出力信号（３３）は、前記予備燃料制御信号（４１）に等しい、請求項１に記載の制御システム。
【請求項１０】
前記燃焼用空気制御装置（２５）は、前記燃料制御アクチュエータ（３５）と前記燃焼用空気制御アクチュエータ（４５）との応答特性差を補償するアクチュエータダイナミクス補償器（４３）を含む、請求項１に記載の制御システム。
【請求項１１】
前記燃焼用空気制御アクチュエータ（４５）は、入口案内翼の位置を制御する、請求項１に記載の制御システム。
【請求項１２】
前記燃料制御アクチュエータ（３５）は、燃料ストローク（６３）を制御しており、前記空気対燃料モデルは、燃料ストローク（６３）基準と前記入口案内翼の前記位置との定常相関関係を提供する、請求項１１に記載の制御システム。
【請求項１３】
ガスタービン（１１）の空気供給及び燃料供給を制御する方法であって、
前記ガスタービン（１１）の第１状態に基づいて第１誤差信号（３１ａ）を生成するステップと、
前記ガスタービン（１１）の第２状態に基づいて第２誤差信号（３１ｂ）を生成するステップと、
前記ガスタービン（１１）の第３状態に基づいて第３誤差信号（３１ｄ）を生成するステップと、
前記ガスタービン（１１）の第４の検知された状態に基づいて第４誤差信号（３１ｅ）を生成するステップと、
第１ループ制御信号（３７ａ）を得るために第１伝達関数に従って前記第１誤差信号（３１ａ）を処理するステップと、
第２ループ制御信号（３７ｂ）を得るために第２伝達関数に従って前記第２誤差信号（３１ｂ）を処理するステップと、
第３ループ制御信号（３７ｄ）を得るために第３伝達関数に従って前記第３誤差信号（３１ｄ）を処理するステップと、
第４ループ制御信号（３７ｅ）を得るために第４伝達関数に従って第４誤差信号（３１ｅ）を処理するステップと、
前記第１ループ制御信号（３７ａ）及び前記第２ループ制御信号（３７ｂ）の少なくとも１つに基づいて、予備燃料制御信号（４１）を生成するステップと、
前記予備燃料制御信号（４１）に基づいて燃料制御出力信号（３３）を生成するステップと、
前記燃料制御出力信号（３３）を燃料制御アクチュエータ（３５）に提供するステップと、
前記燃料制御アクチュエータ（３５）によって、前記燃料制御出力信号（３３）に基づいて燃料流量を調整するステップと、
クロスチャンネル制御装置を提供するステップと、
前記クロスチャンネル制御装置が、前記空気対燃料モデルを使用して、前記予備燃料制御信号（４１）から、予想定常燃焼用空気制御信号（５３）を生成するステップと、
前記第３ループ制御信号（３７ｄ）及び前記第４ループ制御信号（３７ｅ）の少なくとも１つに基づいて、予備燃焼用空気制御信号（５１）を生成するステップと、
前記予備燃焼用空気制御信号（５１）及び前記予想定常燃焼用空気制御信号（５３）に基づいて、燃焼用空気制御出力信号（４７）を生成するステップと、
前記燃焼用空気制御出力信号（４７）を燃焼用空気制御アクチュエータ（４５）に提供するステップと、
前記燃焼用空気制御アクチュエータ（４５）によって、前記燃焼用空気制御出力信号（４７）に基づいて燃焼用空気の量を調整するステップとを含む、方法。
【請求項１４】
前記空気対燃料モデルを自動的に調整することより、前記燃焼用空気制御出力信号と前記予想定常燃焼用空気制御信号との差を除去するステップを更に含む、請求項１３に記載の方法。
【請求項１５】
前記燃料制御アクチュエータ（３５）と前記燃焼用空気制御アクチュエータ（４５）との応答特性差を補償するステップを更に含む、請求項１３に記載の方法。